(57)【特許請求の範囲】
【請求項１】
軽金属高圧鋳造（ＨＰＤＣ）工程で発生する離型剤ミストを回収するＨＰＤＣミストコレクタであって、前記ＨＰＤＣミストコレクタの本体は、上下方向に設置した本体カバーと、この本体カバーの内側面との間に離型剤ミストが上昇する隙間を形成するように配置された整流タンクと、この整流タンクの内側面との間に離型剤ミストが下降する隙間を形成するように配置された円筒形状のメッシュパイプと、このメッシュパイプの内部に配置されたミスト冷却濾過器を備え、
本体カバーの上部に配置されたファンにより本体カバーの下部から吸引された離型剤ミストは、本体カバーと整流タンクの隙間を通って整流タンク内に流入した後に、メッシュパイプを通過してミスト冷却濾過器で冷却され、液化した離型剤として回収されることを特徴とするＨＰＤＣミストコレクタ。
【請求項２】
請求項１に記載のＨＰＤＣミストコレクタにおいて、前記整流タンクは、円筒部と、この円筒部の下部に連結した逆さ円錐部からなり、この逆さ円錐部の中央部に液化した離型剤を回収する回収口が設けられていることを特徴とするＨＰＤＣミストコレクタ。
【請求項３】
請求項１または請求項２に記載のＨＰＤＣミストコレクタにおいて、前記ミスト冷却濾過器は、孔付き上傘と逆さの孔付き下傘からなる傘部を複数上下方向に配設し、これらの傘部の中心に棒部材を嵌挿させて構成したことを特徴とするＨＰＤＣミストコレクタ。
【請求項４】
請求項１乃至請求項３の何れかに記載のＨＰＤＣミストコレクタにおいて、前記液化した離型剤は前記整流タンクの下部より回収され、前記離型剤ミストと共に吸引された空気は前記ファンにより前記本体カバーの上部から大気中に放出されることを特徴とするＨＰＤＣミストコレクタ。
【発明の詳細な説明】
【技術分野】
【０００１】
本発明は、軽金属高圧鋳造（ＨＰＤＣ）工程で発生する離型剤ミストを収集するＨＰＤＣミストコレクタに関する。
【背景技術】
【０００２】
従来から、軽金属高圧鋳造（ＨＰＤＣ）工程では、成形品を金型から取り出し易くするため、鋳造前に金型の表面に離型剤を塗布している。そして、鋳造作業を連続で繰り返すと、金型温度が高くなり、金型の表面に塗布した離型剤が蒸発してミスト状になり鋳造設備の周囲に拡散してしまう。拡散した離型剤ミストは、設備の汚れや工場内の空気環境の悪化を招くため、離型剤ミストの収集が必要になる。
【０００３】
そこで、単体の鋳造装置をフードカバーで覆ったり、単体の鋳造装置にスポット集塵機を接続したり、また単体の鋳造装置ごとにフードを装着し、これらの鋳造装置にダクトを介して集中式集塵機を接続するなどの方法が知られている。
【０００４】
また、特許文献１に記載のように、吸込み用ダクトに、ミスト混じりの空気を吸い込む吸込み用送風機を装備してブロアを構成し、吸込み用ダクトを排出用ダクト基部に連結し、排出用ダクトの底板に、外部空気供給源に接続される空気吹出し口とドレン排出口を設け、ダクト内に多数の邪魔板からなる蛇行通路を形成したミスト分離回収装置が知られている。
【先行技術文献】
【特許文献】
【０００５】
【特許文献１】特開２００３−２３６３２３号公報
【発明の概要】
【発明が解決しようとする課題】
【０００６】
しかし、単体の鋳造装置をフードカバーで覆ったり、単体の鋳造装置にスポット集塵機を接続したり、また単体の鋳造装置ごとにフードを装着し、ダクトを介して集中式集塵機を接続するなどの方法では、投資額が大きく、しかもメンテナンスを必要とするなど多くの問題がある。
【０００７】
また、特許文献１に記載のミスト分離回収装置では、高温の金型表面に塗布することによって蒸気化した離型剤ミストを確実に収集し、冷却して液化した離型剤として回収するのが難しい。
【０００８】
本発明は、従来の技術が有するこのような問題点に鑑みてなされたものであり、その目的とするところは、軽金属高圧鋳造（ＨＰＤＣ）工程で発生する蒸気化した離型剤ミストを回収して作業環境の改善が図れるＨＰＤＣミストコレクタを提供しようとするものである。
【課題を解決するための手段】
【０００９】
上記課題を解決すべく請求項１に係る発明は、軽金属高圧鋳造（ＨＰＤＣ）工程で発生する離型剤ミストを回収するＨＰＤＣミストコレクタであって、前記ＨＰＤＣミストコレクタの本体は、上下方向に設置した本体カバーと、この本体カバーの内側面との間に離型剤ミストが上昇する隙間を形成するように配置された整流タンクと、この整流タンクの内側面との間に離型剤ミストが下降する隙間を形成するように配置された円筒形状のメッシュパイプと、このメッシュパイプの内部に配置されたミスト冷却濾過器を備え、本体カバーの上部に配置されたファンにより本体カバーの下部から吸引された離型剤ミストは、本体カバーと整流タンクの隙間を通って整流タンク内に流入した後に、メッシュパイプを通過してミスト冷却濾過器で冷却され、液化した離型剤として回収されるものである。
【００１０】
前記整流タンクは、円筒部と、この円筒部の下部に連結した逆さ円錐部からなり、この逆さ円錐部の中央部に液化した離型剤を回収する回収口が設けることができる。
【００１１】
また、前記ミスト冷却濾過器は、孔付き上傘と逆さの孔付き下傘からなる傘部を複数上下方向に配設し、これらの傘部の中心に棒部材を嵌挿させて構成することができる。
【００１２】
更に、前記液化した離型剤は前記整流タンクの下部より回収し、前記離型剤ミストと共に吸引された空気は前記ファンにより前記本体カバーの上部から大気中に放出することができる。
【発明の効果】
【００１３】
本発明によれば、軽金属高圧鋳造（ＨＰＤＣ）工程で発生する蒸気化した離型剤ミストを約９８％簡易な構成により回収することができる。また、蒸気化した離型剤ミストを冷却して液化した離型剤として回収することができる。更に、離型剤ミストを約９８％回収することができるので、作業環境の改善が図れる。
【図面の簡単な説明】
【００１４】
【図１】本発明に係るＨＰＤＣミストコレクタの本体の一部をカットした状態の斜視図
【図２】整流タンクの一部をカットした状態の斜視図
【図３】メッシュパイプの一部をカットした状態の斜視図
【図４】ミスト冷却濾過器の斜視図
【図５】ミストコレクタ本体の作用説明図
【発明を実施するための形態】
【００１５】
以下に本発明の実施の形態を添付図面に基づいて説明する。本発明に係るＨＰＤＣミストコレクタは、図１に示すように、蒸気化した離型剤ミスト１をカバー内に閉じ込めて離型剤ミスト１の拡散を防ぐミストカバー（不図示）と、このミストカバー内に閉じ込められた離型剤ミスト１を後述するミストコレクタ本体２に導く収集ダクト（不図示）と、この収集ダクトで運ばれてくる離型剤ミスト１を回収するミストコレクタ本体２と、このミストコレクタ本体２内に離型剤ミスト１を吸引すると共に空気３のみを大気中に放出する排気ファン４からなる。ＨＰＤＣミストコレクタは、軽金属高圧鋳造（ＨＰＤＣ）工程に設けられた鋳造装置（不図示）の上方に設置される。
【００１６】
ミストコレクタ本体２は、上下方向に設置した本体カバー５と、この本体カバー５の内部に隙間６を設けて配置された整流タンク７と、この整流タンク７の内部に隙間８を設けて配置された円筒形状のメッシュパイプ９と、このメッシュパイプ９の内部に配置されたミスト冷却濾過器１０を備えている。
【００１７】
本体カバー５には、下部に離型剤ミスト１を取り入れる吸引口１１と、上部に空気３を排出する排気口１２が設けられている。そして、排気口１２の上方に設置した排気ファン４により、吸引口１１から離型剤ミスト１が吸引され、排気口１２から離型剤ミスト１と共に吸引された空気３が濾過されて放出される。
【００１８】
整流タンク７は、図２に示すように、円筒部１４と、この円筒部１４の下部に連結した逆さ円錐部１５からなり、この逆さ円錐部１５の中央部には液化した離型剤１６を回収するための回収口１７が設けられている。液化した離型剤１６は、逆さ円錐部１５に落下して回収口１７に導かれる。１８は液化した離型剤１６を外部に流出するための配管である。
【００１９】
円筒形状のメッシュパイプ９は、図３に示すように、上部円筒部９ａと下部円筒部９ｂからなり、下部円筒部９ｂはメッシュ状部材で形成されている。メッシュ状部材で形成され下部円筒部９ｂを通過する離型剤ミスト１は拡散される。そして、メッシュパイプ９は、下部円筒部９ｂが整流タンク７の逆さ円錐部１５に載置された状態で設置される。
【００２０】
ミスト冷却濾過器１０は、図４に示すように、複数の小径孔１９ｃを開けた孔付き上傘１９ａと、複数の小径孔１９ｃを開けた逆さの孔付き下傘１９ｂからなる傘部１９を複数上下方向に所定の間隔で配設し、これらの傘部１９の中心に棒部材２０を嵌挿して構成されている。離型剤ミスト１は、複数配設された傘部１９の表面に接触しながら、及び傘部１９の小径孔１９ｃを通過しながらミスト冷却濾過器１０を上昇することにより冷却され、液化した離型剤１６となる。
【００２１】
以上のように構成された本発明に係るＨＰＤＣミストコレクタの作用について説明する。高温の金型表面に塗布された離型剤は、蒸気化した離型剤ミスト１になる。すると、図５に示すように、蒸気化した離型剤ミスト１は、排気ファン４により、吸引口１１からミストコレクタ本体２内に吸引される。
【００２２】
次いで、吸引口１１からミストコレクタ本体２内に入り込んだ離型剤ミスト１は、本体カバー５と整流タンク７の隙間６を上昇する。そして、離型剤ミスト１は、整流タンク７の円筒部１４の端部を越えて、円筒部１４とメッシュパイプ９の上部円筒部９ａの隙間８に入り込んで下降する。
【００２３】
次いで、円筒部１４と上部円筒部９ａの隙間８に入り込んで下降する離型剤ミスト１は、メッシュ状の下部円筒部９ｂに到達すると、下部円筒部９ｂを通過してミスト冷却濾過器１０内に入り込む。すると、離型剤ミスト１は、メッシュ状の下部円筒部９ｂを通過することにより拡散され、ミスト冷却濾過器１０内を上昇する。
【００２４】
次いで、拡散され上昇する離型剤ミスト１は、上下方向に複数配設された孔付き上傘１９ａと逆さの孔付き下傘１９ｂからなる傘部１９の表面に接触しながら、及び傘部１９の小径孔１９ｃを通過しながらミスト冷却濾過器１０を上昇することにより冷却される。すると、離型剤ミスト１は液化される。
【００２５】
液化した離型剤１６は、逆さ円錐部１５に落下して整流タンク７の回収口１７から配管１８を通って外部に流出し、回収される。一方、離型剤ミスト１と共に吸引された空気３は、排気ファン４により排気口１２から濾過された空気３として大気中に放出される。
【００２６】
このように、軽金属高圧鋳造（ＨＰＤＣ）工程で発生する蒸気化した離型剤ミスト１は、約９８％回収される。また、蒸気化した離型剤ミスト１は、液化した離型剤１６として回収することができる。離型剤ミスト１を約９８％回収することができるので、軽金属高圧鋳造工程における作業環境の改善が図れる。
【産業上の利用可能性】
【００２７】
本発明によれば、軽金属高圧鋳造（ＨＰＤＣ）工程において発生する蒸気化した離型剤ミストを簡易な構成で確実に回収して、作業環境の改善が図れるＨＰＤＣミストコレクタを提供することができる。
【符号の説明】
【００２８】
１…離型剤ミスト、２…ミストコレクタ本体、３…空気、４…排気ファン、５…本体カバー、６，８…隙間、７…整流タンク、９…メッシュパイプ、９ａ…上部円筒部、９ｂ…下部円筒部、１０…ミスト冷却濾過器、１１…吸引口、１２…排気口、１４…円筒部、１５…逆さ円錐部、１６…液化した離型剤、１７…回収口、１９…傘部、１９ａ…孔付き上傘、１９ｂ…逆さの孔付き下傘、１９ｃ…小径孔。
【図１】
0005467978.tif 000002
【図２】
0005467978.tif 000003
【図３】
0005467978.tif 000004
【図４】
0005467978.tif 000005
【図５】
0005467978.tif 000006